(57)【要約】【課題】利用者の利便性を高め、不正利用を抑制し、盗難車両の捜索にかかる時間、コストを低減すること。【解決手段】駐車場１４０のゲート１１０において、車両１２０に設けられたＩＣタグ１３１から該車両１２０を識別するための登録番号をゲートＩＣタグリーダ１１２でリードするステップと、ゲート１１０でリードされた登録番号に基づいて、駐車場１４０への車両の入退場を監視するステップと、入退場の監視結果に基づいて、駐車場１４０の利用料金を計算するステップと、所定期間毎（例えば、１ヶ月毎）に利用料金をまとめて口座自動引き落としやクレジットカードにより決済するステップとを含む。【選択図】        図１
2005157776.tif 000002
【特許請求の範囲】
【請求項１】
コンピュータに、
駐車場のゲートにおいて、車両に設けられた電子タグから該車両を識別するための識別番号をリードするゲートリード工程と、
前記ゲートでリードされた前記識別番号に基づいて、前記駐車場への前記車両の入退場を監視する入退場監視工程と、
前記入退場の監視結果に基づいて、前記駐車場の利用料金を計算する利用料金計算工程と、
所定期間毎に前記利用料金をまとめて決済する決済工程と、
を実行させるための駐車場管理プログラム。
【請求項２】
前記コンピュータに、前記駐車場において、駐車中の前記車両に設けられた前記電子タグから識別番号をリードする駐車場リード工程と、前記駐車場でリードされた前記識別番号に基づいて、当該利用者に対して、前記駐車場の空き状況を案内する空き状況案内工程と、を実行させることを特徴とする請求項１に記載の駐車場管理プログラム。
【請求項３】
前記コンピュータに、前記ゲートでリードされた前記識別番号と、前記駐車場の利用が許可された車両を識別するための識別番号とを照合する利用許可照合工程と、該利用許可照合工程における前記照合の結果が不一致である場合、当該不正利用者に対して、前記駐車場の利用拒否を案内する利用拒否案内工程と、を実行させることを特徴とする請求項１または２に記載の駐車場管理プログラム。
【請求項４】
前記コンピュータに、前記利用許可照合工程における前記照合の結果が不一致である場合、当該車両および前記不正利用者を撮影する不正利用撮影工程、を実行させることを特徴とする請求項３に記載の駐車場管理プログラム。
【請求項５】
前記コンピュータに、前記ゲートでリードされた前記識別番号と、警察当局から予め通知された盗難車両を識別するための識別番号とを照合する盗難車両照合工程と、該盗難車両照合工程における前記照合の結果が一致である場合、前記警察当局へ前記盗難車両の発見を通報する通報工程と、を実行させることを特徴とする請求項１〜４のいずれか一つに記載の駐車場管理プログラム。
【請求項６】
前記コンピュータに、前記盗難車両照合工程における前記照合の結果が一致である場合、前記盗難車両および当該窃盗容疑者を撮影する盗難車両撮影工程、を実行させることを特徴とする請求項５に記載の駐車場管理プログラム。
【請求項７】
前記入退場監視工程では、車両毎に駐車時間を計算し、該駐車時間が所定時間を超えている車両を放置車両として判定し、利用者へ撤去を通知することを特徴とする請求項１〜６のいずれか一つに記載の駐車場管理プログラム。
【請求項８】
前記車両は、二輪車であることを特徴とする請求項１〜７のいずれか一つに記載の駐車場管理プログラム。
【請求項９】
前記車両は、自動車であることを特徴とする請求項１〜７のいずれか一つに記載の駐車場管理プログラム。
【請求項１０】
駐車場のゲートにおいて、車両に設けられた電子タグから該車両を識別するための識別番号をリードするゲートリード工程と、
前記ゲートでリードされた前記識別番号に基づいて、前記駐車場への前記車両の入退場を監視する入退場監視工程と、
前記入退場の監視結果に基づいて、前記駐車場の利用料金を計算する利用料金計算工程と、
所定期間毎に前記利用料金をまとめて決済する決済工程と、
を含むことを特徴とする駐車場管理方法。
【請求項１１】
前記駐車場において、駐車中の前記車両に設けられた前記電子タグから識別番号をリードする駐車場リード工程と、前記駐車場でリードされた前記識別番号に基づいて、当該利用者に対して、前記駐車場の空き状況を案内する空き状況案内工程と、を含むことを特徴とする請求項１０に記載の駐車場管理方法。
【請求項１２】
前記ゲートでリードされた前記識別番号と、前記駐車場の利用が許可された車両を識別するための識別番号とを照合する利用許可照合工程と、該利用許可照合工程における前記照合の結果が不一致である場合、当該不正利用者に対して、前記駐車場の利用拒否を案内する利用拒否案内工程と、を含むことを特徴とする請求項１０または１１に記載の駐車場管理方法。
【請求項１３】
前記利用許可照合工程における前記照合の結果が不一致である場合、当該車両および前記不正利用者を撮影する不正利用撮影工程、を含むことを特徴とする請求項１２に記載の駐車場管理方法。
【請求項１４】
前記ゲートでリードされた前記識別番号と、警察当局から予め通知された盗難車両を識別するための識別番号とを照合する盗難車両照合工程と、該盗難車両照合工程における前記照合の結果が一致である場合、前記警察当局へ前記盗難車両の発見を通報する通報工程と、を含むことを特徴とする請求項１０〜１３のいずれか一つに記載の駐車場管理方法。
【請求項１５】
前記盗難車両照合工程における前記照合の結果が一致である場合、前記盗難車両および当該窃盗容疑者を撮影する盗難車両撮影工程、を含むことを特徴とする請求項１４に記載の駐車場管理方法。
【請求項１６】
前記入退場監視工程では、車両毎に駐車時間を計算し、該駐車時間が所定時間を超えている車両を放置車両として判定し、利用者へ撤去を通知することを特徴とする請求項１０〜１５のいずれか一つに記載の駐車場管理方法。
【請求項１７】
前記車両は、二輪車であることを特徴とする請求項１０〜１６のいずれか一つに記載の駐車場管理方法。
【請求項１８】
前記車両は、自動車であることを特徴とする請求項１０〜１６のいずれか一つに記載の駐車場管理方法。
【請求項１９】
駐車場のゲートにおいて、車両に設けられた電子タグから該車両を識別するための識別番号をリードするゲートリード手段と、
前記ゲートでリードされた前記識別番号に基づいて、前記駐車場への前記車両の入退場を監視する入退場監視手段と、
前記入退場の監視結果に基づいて、前記駐車場の利用料金を計算する利用料金計算手段と、
所定期間毎に前記利用料金をまとめて決済する決済手段と、
を備えたことを特徴とする駐車場管理装置。
【請求項２０】
前記駐車場において、駐車中の前記車両に設けられた前記電子タグから識別番号をリードする駐車場リード手段と、前記駐車場でリードされた前記識別番号に基づいて、当該利用者に対して、前記駐車場の空き状況を案内する空き状況案内手段と、を備えたことを特徴とする請求項１９に記載の駐車場管理装置。
【請求項２１】
前記ゲートでリードされた前記識別番号と、前記駐車場の利用が許可された車両を識別するための識別番号とを照合する利用許可照合手段と、該利用許可照合手段における前記照合の結果が不一致である場合、当該不正利用者に対して、前記駐車場の利用拒否を案内する利用拒否案内手段と、を備えたことを特徴とする請求項１９または２０に記載の駐車場管理装置。
【請求項２２】
前記利用許可照合手段における前記照合の結果が不一致である場合、当該車両および前記不正利用者を撮影する不正利用撮影手段、を備えたことを特徴とする請求項２１に記載の駐車場管理装置。
【請求項２３】
前記ゲートでリードされた前記識別番号と、警察当局から予め通知された盗難車両を識別するための識別番号とを照合する盗難車両照合手段と、該盗難車両照合手段における前記照合の結果が一致である場合、前記警察当局へ前記盗難車両の発見を通報する通報手段と、を備えたことを特徴とする請求項１９〜２２のいずれか一つに記載の駐車場管理装置。
【請求項２４】
前記盗難車両照合手段における前記照合の結果が一致である場合、前記盗難車両および当該窃盗容疑者を撮影する盗難車両撮影手段、を備えたことを特徴とする請求項２３に記載の駐車場管理装置。
【請求項２５】
前記入退場監視手段は、車両毎に駐車時間を計算し、該駐車時間が所定時間を超えている車両を放置車両として判定し、利用者へ撤去を通知することを特徴とする請求項１９〜２４のいずれか一つに記載の駐車場管理装置。
【請求項２６】
前記車両は、二輪車であることを特徴とする請求項１９〜２５のいずれか一つに記載の駐車場管理装置。
【請求項２７】
前記車両は、自動車であることを特徴とする請求項１９〜２５のいずれか一つに記載の駐車場管理装置。
【請求項２８】
コンピュータに、
車両に設けられた電子タグから該車両を識別するための識別番号をリードするリード工程と、
前記リードされた前記識別番号と、捜索対象の盗難車両を識別するための識別番号とを照合する盗難車両照合工程と、
前記盗難車両照合工程における前記照合の結果が一致である場合、当該車両を前記盗難車両として判別する盗難車両判別工程と、
を実行させるための盗難車両捜索プログラム。
【請求項２９】
前記コンピュータに、前記盗難車両および窃盗容疑者を撮影する盗難車両撮影工程、を実行させることを特徴とする請求項２８に記載の盗難車両捜索プログラム。
【請求項３０】
車両に設けられた電子タグから該車両を識別するための識別番号をリードするリード工程と、
前記リードされた前記識別番号と、捜索対象の盗難車両を識別するための識別番号とを照合する盗難車両照合工程と、
前記盗難車両照合工程における前記照合の結果が一致である場合、当該車両を前記盗難車両として判別する盗難車両判別工程と、
を含むことを特徴とする盗難車両捜索方法。
【請求項３１】
前記盗難車両および窃盗容疑者を撮影する盗難車両撮影工程、を含むことを特徴とする請求項３０に記載の盗難車両捜索方法。
【請求項３２】
車両に設けられた電子タグから該車両を識別するための識別番号をリードするリード手段と、
前記リードされた前記識別番号と、捜索対象の盗難車両を識別するための識別番号とを照合する盗難車両照合手段と、
前記盗難車両照合工程における前記照合の結果が一致である場合、当該車両を前記盗難車両として判別する盗難車両判別手段と、
を備えたことを特徴とする盗難車両捜索装置。
【請求項３３】
前記盗難車両および窃盗容疑者を撮影する盗難車両撮影手段、を備えたことを特徴とする請求項３２に記載の盗難車両捜索装置。
【発明の詳細な説明】
【技術分野】
【０００１】
本発明は、駐車場に用いて好適な駐車場管理プログラム、駐車場管理方法、駐車場管理装置、盗難車両捜索プログラム、盗難車両捜索方法および盗難車両捜索装置に関するものであり、特に、利用者の利便性を高め、不正利用を抑制し、盗難車両の捜索にかかる時間、コストを低減することができる駐車場管理プログラム、駐車場管理方法、駐車場管理装置、盗難車両捜索プログラム、盗難車両捜索方法および盗難車両捜索装置に関するものである。
【背景技術】
【０００２】
従来より、駅周辺には、自転車、自動車、自動二輪車等の車両を駐車（駐輪の意味も含まれる）するための駐車場（駐輪場の意味も含まれる）が整備されている。車両が自転車の場合、１日あたりの利用料金が百円程度である。従って、駐車場を利用する都度に利用契約が生じる都度契約の場合、利用者は、利用の都度、小銭、プリペイドカード、回数券等を用意し係員や自動収受機に利用料金を支払っている。
【０００３】
同様にして、車両が自動車、自動二輪車等の場合にも、１時間あたりの利用料金が数百円程度であり、利用者は、利用の都度、利用料金を係員や自動収受機に支払っている。
【０００４】
【特許文献１】特開２００３−８２８７５号公報
【発明の開示】
【発明が解決しようとする課題】
【０００５】
ところで、従来の駐車場においては、都度契約の場合、利用の都度、小銭、プリペイドカード、回数券等を用意し、利用料金を支払わなければならないため、非常に煩わしく、利用者の利便性が低いという問題があった。
【０００６】
また、従来の駐車場においては、監視の目をくぐり抜けて、不正利用し、利用料金を踏み倒す等の不法行為が発生しており、その対策に苦慮している状況にある。特に、駐車場の場合には、損害額が少額であることから、それを回収するために、人件費をかけて係員を増員することがコストに見合わないため、効果的な対策に至っていないのが現状である。
【０００７】
また、近時では、窃盗団等よる車両（自転車、自動二輪車、自動車等）の盗難が多発しており、警察当局も、盗難車両の捜索に莫大な時間、コストを費やすことになり、社会問題化している。
【０００８】
本発明は、上記に鑑みてなされたものであって、利用者の利便性を高め、不正利用を抑制し、盗難車両の捜索にかかる時間、コストを低減することができる駐車場管理プログラム、駐車場管理方法、駐車場管理装置、盗難車両捜索プログラム、盗難車両捜索方法および盗難車両捜索装置を提供することを目的とする。
【課題を解決するための手段】
【０００９】
上述した課題を解決し、目的を達成するために、本発明は、コンピュータに、駐車場のゲートにおいて、車両に設けられた電子タグから該車両を識別するための識別番号をリードするゲートリード工程と、前記ゲートでリードされた前記識別番号に基づいて、前記駐車場への前記車両の入退場を監視する入退場監視工程と、前記入退場の監視結果に基づいて、前記駐車場の利用料金を計算する利用料金計算工程と、所定期間毎に前記利用料金をまとめて決済する決済工程と、を実行させるための駐車場管理プログラムである。
【００１０】
この発明によれば、駐車場のゲートにおいて、車両に設けられた電子タグからリードされた該車両の識別番号に基づいて、駐車場への車両の入退場を監視し、監視結果に基づいて、駐車場の利用料金を計算し、所定期間毎に利用料金をまとめて決済することとしたので、利用者が利用の度に利用料金を小銭等で支払う必要がなくなり、利用者の利便性を高めることができる。
【００１１】
また、本発明は、上記発明において、前記コンピュータに、前記駐車場において、駐車中の前記車両に設けられた前記電子タグから識別番号をリードする駐車場リード工程と、前記駐車場でリードされた前記識別番号に基づいて、当該利用者に対して、前記駐車場の空き状況を案内する空き状況案内工程と、を実行させることを特徴とする。
【００１２】
この発明によれば、駐車場において、駐車中の車両に設けられた電子タグからリードされた識別番号に基づいて、当該利用者に対して、駐車場の空き状況を案内することとしたので、さらに利用者の利便性を高めることができる。
【００１３】
また、本発明は、上記発明において、前記コンピュータに、前記ゲートでリードされた前記識別番号と、前記駐車場の利用が許可された車両を識別するための識別番号とを照合する利用許可照合工程と、該利用許可照合工程における前記照合の結果が不一致である場合、当該不正利用者に対して、前記駐車場の利用拒否を案内する利用拒否案内工程と、を実行させることを特徴とする。
【００１４】
この発明によれば、ゲートでリードされた識別番号と、駐車場の利用が許可された車両を識別するための識別番号とを照合した結果が不一致である場合、当該不正利用者に対して、駐車場の利用拒否を案内することとしたので、不正利用を抑制することができる。
【００１５】
また、本発明は、上記発明において、前記コンピュータに、前記利用許可照合工程における前記照合の結果が不一致である場合、当該車両および前記不正利用者を撮影する不正利用撮影工程、を実行させることを特徴とする。
【００１６】
この発明によれば、照合の結果が不一致である場合、当該車両および不正利用者を撮影することとしたので、心理的に不正利用者にプレッシャがかかり、不正利用をさらに抑制することができる。
【００１７】
また、本発明は、上記発明において、前記コンピュータに、前記ゲートでリードされた前記識別番号と、警察当局から予め通知された盗難車両を識別するための識別番号とを照合する盗難車両照合工程と、該盗難車両照合工程における前記照合の結果が一致である場合、前記警察当局へ前記盗難車両の発見を通報する通報工程と、を実行させることを特徴とする。
【００１８】
この発明によれば、ゲートでリードされた識別番号と、警察当局から予め通知された盗難車両を識別するための識別番号とを照合した結果が一致である場合、警察当局へ盗難車両の発見を通報することとしたので、盗難車両の捜索にかかる時間、コストを低減することができる。
【００１９】
また、本発明は、上記発明において、前記コンピュータに、前記盗難車両照合工程における前記照合の結果が一致である場合、前記盗難車両および当該窃盗容疑者を撮影する盗難車両撮影工程、を実行させることを特徴とする。
【００２０】
この発明によれば、照合の結果が一致である場合、当該盗難車両および窃盗容疑者を撮影することとしたので、証拠を押さえて、捜査を有利に進めることができる。
【００２１】
また、本発明は、上記発明において、前記入退場監視工程では、車両毎に駐車時間を計算し、該駐車時間が所定時間を超えている車両を放置車両として判定し、利用者へ撤去を通知することを特徴とする。
【００２２】
この発明によれば、車両毎に駐車時間を計算し、該駐車時間が所定時間を超えている車両を放置車両として判定し、利用者へ撤去を通知することとしたので、放置車両の数を低減することができる。
【００２３】
また、本発明は、上記発明において、前記車両は、二輪車であることを特徴とする。
【００２４】
この発明によれば、車両を二輪車としたので、二輪車に関して、利用者の利便性を高め、不正利用を抑制し、盗難車両の捜索にかかる時間、コストを低減することができる。
【００２５】
また、本発明は、上記発明において、前記車両は、自動車であることを特徴とする。
【００２６】
この発明によれば、車両を自動車としたので、自動車に関して、利用者の利便性を高め、不正利用を抑制し、盗難車両の捜索にかかる時間、コストを低減することができる。
【００２７】
また、本発明は、駐車場のゲートにおいて、車両に設けられた電子タグから該車両を識別するための識別番号をリードするゲートリード工程と、前記ゲートでリードされた前記識別番号に基づいて、前記駐車場への前記車両の入退場を監視する入退場監視工程と、前記入退場の監視結果に基づいて、前記駐車場の利用料金を計算する利用料金計算工程と、所定期間毎に前記利用料金をまとめて決済する決済工程と、を含むことを特徴とする。
【００２８】
この発明によれば、駐車場のゲートにおいて、車両に設けられた電子タグからリードされた該車両の識別番号に基づいて、駐車場への車両の入退場を監視し、監視結果に基づいて、駐車場の利用料金を計算し、所定期間毎に利用料金をまとめて決済することとしたので、利用者が利用の度に利用料金を小銭等で支払う必要がなくなり、利用者の利便性を高めることができる。
【００２９】
また、本発明は、上記発明において、前記駐車場において、駐車中の前記車両に設けられた前記電子タグから識別番号をリードする駐車場リード工程と、前記駐車場でリードされた前記識別番号に基づいて、当該利用者に対して、前記駐車場の空き状況を案内する空き状況案内工程と、を含むことを特徴とする。
【００３０】
この発明によれば、駐車場において、駐車中の車両に設けられた電子タグからリードされた識別番号に基づいて、当該利用者に対して、駐車場の空き状況を案内することとしたので、さらに利用者の利便性を高めることができる。
【００３１】
また、本発明は、上記発明において、前記ゲートでリードされた前記識別番号と、前記駐車場の利用が許可された車両を識別するための識別番号とを照合する利用許可照合工程と、該利用許可照合工程における前記照合の結果が不一致である場合、当該不正利用者に対して、前記駐車場の利用拒否を案内する利用拒否案内工程と、を含むことを特徴とする。
【００３２】
この発明によれば、ゲートでリードされた識別番号と、駐車場の利用が許可された車両を識別するための識別番号とを照合した結果が不一致である場合、当該不正利用者に対して、駐車場の利用拒否を案内することとしたので、不正利用を抑制することができる。
【００３３】
また、本発明は、上記発明において、前記利用許可照合工程における前記照合の結果が不一致である場合、当該車両および前記不正利用者を撮影する不正利用撮影工程、を含むことを特徴とする。
【００３４】
この発明によれば、照合の結果が不一致である場合、当該車両および不正利用者を撮影することとしたので、心理的に不正利用者にプレッシャがかかり、不正利用をさらに抑制することができる。
【００３５】
また、本発明は、上記発明において、前記ゲートでリードされた前記識別番号と、警察当局から予め通知された盗難車両を識別するための識別番号とを照合する盗難車両照合工程と、該盗難車両照合工程における前記照合の結果が一致である場合、前記警察当局へ前記盗難車両の発見を通報する通報工程と、を含むことを特徴とする。
【００３６】
この発明によれば、ゲートでリードされた識別番号と、警察当局から予め通知された盗難車両を識別するための識別番号とを照合した結果が一致である場合、警察当局へ盗難車両の発見を通報することとしたので、盗難車両の捜索にかかる時間、コストを低減することができる。
【００３７】
また、本発明は、上記発明において、前記盗難車両照合工程における前記照合の結果が一致である場合、前記盗難車両および当該窃盗容疑者を撮影する盗難車両撮影工程、を含むことを特徴とする。
【００３８】
この発明によれば、照合の結果が一致である場合、当該盗難車両および窃盗容疑者を撮影することとしたので、証拠を押さえて、捜査を有利に進めることができる。
【００３９】
また、本発明は、上記発明において、前記入退場監視工程では、車両毎に駐車時間を計算し、該駐車時間が所定時間を超えている車両を放置車両として判定し、利用者へ撤去を通知することを特徴とする。
【００４０】
この発明によれば、車両毎に駐車時間を計算し、該駐車時間が所定時間を超えている車両を放置車両として判定し、利用者へ撤去を通知することとしたので、放置車両の数を低減することができる。
【００４１】
また、本発明は、上記発明において、前記車両は、二輪車であることを特徴とする。
【００４２】
この発明によれば、車両を二輪車としたので、二輪車に関して、利用者の利便性を高め、不正利用を抑制し、盗難車両の捜索にかかる時間、コストを低減することができる。
【００４３】
また、本発明は、上記発明において、前記車両は、自動車であることを特徴とする。
【００４４】
この発明によれば、車両を自動車としたので、自動車に関して、利用者の利便性を高め、不正利用を抑制し、盗難車両の捜索にかかる時間、コストを低減することができる。
【００４５】
また、本発明は、駐車場のゲートにおいて、車両に設けられた電子タグから該車両を識別するための識別番号をリードするゲートリード手段と、前記ゲートでリードされた前記識別番号に基づいて、前記駐車場への前記車両の入退場を監視する入退場監視手段と、前記入退場の監視結果に基づいて、前記駐車場の利用料金を計算する利用料金計算手段と、所定期間毎に前記利用料金をまとめて決済する決済手段と、を備えたことを特徴とする。
【００４６】
この発明によれば、駐車場のゲートにおいて、車両に設けられた電子タグからリードされた該車両の識別番号に基づいて、駐車場への車両の入退場を監視し、監視結果に基づいて、駐車場の利用料金を計算し、所定期間毎に利用料金をまとめて決済することとしたので、利用者が利用の度に利用料金を小銭等で支払う必要がなくなり、利用者の利便性を高めることができる。
【００４７】
また、本発明は、上記発明において、前記駐車場において、駐車中の前記車両に設けられた前記電子タグから識別番号をリードする駐車場リード手段と、前記駐車場でリードされた前記識別番号に基づいて、当該利用者に対して、前記駐車場の空き状況を案内する空き状況案内手段と、を備えたことを特徴とする。
【００４８】
この発明によれば、駐車場において、駐車中の車両に設けられた電子タグからリードされた識別番号に基づいて、当該利用者に対して、駐車場の空き状況を案内することとしたので、さらに利用者の利便性を高めることができる。
【００４９】
また、本発明は、上記発明において、前記ゲートでリードされた前記識別番号と、前記駐車場の利用が許可された車両を識別するための識別番号とを照合する利用許可照合手段と、該利用許可照合手段における前記照合の結果が不一致である場合、当該不正利用者に対して、前記駐車場の利用拒否を案内する利用拒否案内手段と、を備えたことを特徴とする。
【００５０】
この発明によれば、ゲートでリードされた識別番号と、駐車場の利用が許可された車両を識別するための識別番号とを照合した結果が不一致である場合、当該不正利用者に対して、駐車場の利用拒否を案内することとしたので、不正利用を抑制することができる。
【００５１】
また、本発明は、上記発明において、前記利用許可照合手段における前記照合の結果が不一致である場合、当該車両および前記不正利用者を撮影する不正利用撮影手段、を備えたことを特徴とする。
【００５２】
この発明によれば、照合の結果が不一致である場合、当該車両および不正利用者を撮影することとしたので、心理的に不正利用者にプレッシャがかかり、不正利用をさらに抑制することができる。
【００５３】
また、本発明は、上記発明において、前記ゲートでリードされた前記識別番号と、警察当局から予め通知された盗難車両を識別するための識別番号とを照合する盗難車両照合手段と、該盗難車両照合手段における前記照合の結果が一致である場合、前記警察当局へ前記盗難車両の発見を通報する通報手段と、を備えたことを特徴とする。
【００５４】
この発明によれば、ゲートでリードされた識別番号と、警察当局から予め通知された盗難車両を識別するための識別番号とを照合した結果が一致である場合、警察当局へ盗難車両の発見を通報することとしたので、盗難車両の捜索にかかる時間、コストを低減することができる。
【００５５】
また、本発明は、上記発明において、前記盗難車両照合手段における前記照合の結果が一致である場合、前記盗難車両および当該窃盗容疑者を撮影する盗難車両撮影手段、を備えたことを特徴とする。
【００５６】
この発明によれば、照合の結果が一致である場合、当該盗難車両および窃盗容疑者を撮影することとしたので、証拠を押さえて、捜査を有利に進めることができる。
【００５７】
また、本発明は、上記発明において、前記入退場監視手段は、車両毎に駐車時間を計算し、該駐車時間が所定時間を超えている車両を放置車両として判定し、利用者へ撤去を通知することを特徴とする。
【００５８】
この発明によれば、車両毎に駐車時間を計算し、該駐車時間が所定時間を超えている車両を放置車両として判定し、利用者へ撤去を通知することとしたので、放置車両の数を低減することができる。
【００５９】
また、本発明は、上記発明において、前記車両は、二輪車であることを特徴とする。
【００６０】
この発明によれば、車両を二輪車としたので、二輪車に関して、利用者の利便性を高め、不正利用を抑制し、盗難車両の捜索にかかる時間、コストを低減することができる。
【００６１】
また、本発明は、上記発明において、前記車両は、自動車であることを特徴とする。
【００６２】
この発明によれば、車両を自動車としたので、自動車に関して、利用者の利便性を高め、不正利用を抑制し、盗難車両の捜索にかかる時間、コストを低減することができる。
【００６３】
また、本発明は、コンピュータに、車両に設けられた電子タグから該車両を識別するための識別番号をリードするリード工程と、前記リードされた前記識別番号と、捜索対象の盗難車両を識別するための識別番号とを照合する盗難車両照合工程と、前記盗難車両照合工程における前記照合の結果が一致である場合、当該車両を前記盗難車両として判別する盗難車両判別工程と、を実行させるための盗難車両捜索プログラムである。
【００６４】
この発明によれば、車両に設けられた電子タグからリードされた識別番号と、捜索対象の盗難車両を識別するための識別番号とを照合し、照合の結果が一致である場合、当該車両を盗難車両として判別することとしたので、盗難車両の捜索にかかる時間、コストを低減することができる。
【００６５】
また、本発明は、上記発明において、前記コンピュータに、前記盗難車両および窃盗容疑者を撮影する盗難車両撮影工程、を実行させることを特徴とする。
【００６６】
この発明によれば、盗難車両および窃盗容疑者を撮影することとしたので、証拠を押さえて、捜査を有利に進めることができる。
【００６７】
また、本発明は、車両に設けられた電子タグから該車両を識別するための識別番号をリードするリード工程と、前記リードされた前記識別番号と、捜索対象の盗難車両を識別するための識別番号とを照合する盗難車両照合工程と、前記盗難車両照合工程における前記照合の結果が一致である場合、当該車両を前記盗難車両として判別する盗難車両判別工程と、を含むことを特徴とする。
【００６８】
この発明によれば、車両に設けられた電子タグからリードされた識別番号と、捜索対象の盗難車両を識別するための識別番号とを照合し、照合の結果が一致である場合、当該車両を盗難車両として判別することとしたので、盗難車両の捜索にかかる時間、コストを低減することができる。
【００６９】
また、本発明は、上記発明において、前記盗難車両および窃盗容疑者を撮影する盗難車両撮影工程、を含むことを特徴とする。
【００７０】
この発明によれば、盗難車両および窃盗容疑者を撮影することとしたので、証拠を押さえて、捜査を有利に進めることができる。
【００７１】
また、本発明は、車両に設けられた電子タグから該車両を識別するための識別番号をリードするリード手段と、前記リードされた前記識別番号と、捜索対象の盗難車両を識別するための識別番号とを照合する盗難車両照合手段と、前記盗難車両照合工程における前記照合の結果が一致である場合、当該車両を前記盗難車両として判別する盗難車両判別手段と、を備えたことを特徴とする。
【００７２】
この発明によれば、車両に設けられた電子タグからリードされた識別番号と、捜索対象の盗難車両を識別するための識別番号とを照合し、照合の結果が一致である場合、当該車両を盗難車両として判別することとしたので、盗難車両の捜索にかかる時間、コストを低減することができる。
【００７３】
また、本発明は、上記発明において、前記盗難車両および窃盗容疑者を撮影する盗難車両撮影手段、を備えたことを特徴とする。
【００７４】
この発明によれば、盗難車両および窃盗容疑者を撮影することとしたので、証拠を押さえて、捜査を有利に進めることができる。
【発明の効果】
【００７５】
本発明によれば、駐車場のゲートにおいて、車両に設けられた電子タグからリードされた該車両の識別番号に基づいて、駐車場への車両の入退場を監視し、監視結果に基づいて、駐車場の利用料金を計算し、所定期間毎に利用料金をまとめて決済することとしたので、利用者が利用の度に利用料金を小銭等で支払う必要がなくなり、利用者の利便性を高めることができるという効果を奏する。
【００７６】
また、本発明によれば、駐車場において、駐車中の車両に設けられた電子タグからリードされた識別番号に基づいて、当該利用者に対して、駐車場の空き状況を案内することとしたので、さらに利用者の利便性を高めることができるという効果を奏する。
【００７７】
また、本発明によれば、ゲートでリードされた識別番号と、駐車場の利用が許可された車両を識別するための識別番号とを照合した結果が不一致である場合、当該不正利用者に対して、駐車場の利用拒否を案内することとしたので、不正利用を抑制することができるという効果を奏する。
【００７８】
また、本発明によれば、照合の結果が不一致である場合、当該車両および不正利用者を撮影することとしたので、心理的に不正利用者にプレッシャがかかり、不正利用をさらに抑制することができるという効果を奏する。
【００７９】
また、本発明によれば、ゲートでリードされた識別番号と、警察当局から予め通知された盗難車両を識別するための識別番号とを照合した結果が一致である場合、警察当局へ盗難車両の発見を通報することとしたので、盗難車両の捜索にかかる時間、コストを低減することができるという効果を奏する。
【００８０】
また、本発明によれば、照合の結果が一致である場合、当該盗難車両および窃盗容疑者を撮影することとしたので、証拠を押さえて、捜査を有利に進めることができるという効果を奏する。
【００８１】
また、本発明によれば、車両毎に駐車時間を計算し、該駐車時間が所定時間を超えている車両を放置車両として判定し、利用者へ撤去を通知することとしたので、放置車両の数を低減することができるという効果を奏する。
【００８２】
また、本発明によれば、車両を二輪車としたので、二輪車に関して、利用者の利便性を高め、不正利用を抑制し、盗難車両の捜索にかかる時間、コストを低減することができるという効果を奏する。
【００８３】
また、本発明によれば、車両を自動車としたので、自動車に関して、利用者の利便性を高め、不正利用を抑制し、盗難車両の捜索にかかる時間、コストを低減することができるという効果を奏する。
【００８４】
また、本発明によれば、車両に設けられた電子タグからリードされた識別番号と、捜索対象の盗難車両を識別するための識別番号とを照合し、照合の結果が一致である場合、当該車両を盗難車両として判別することとしたので、盗難車両の捜索にかかる時間、コストを低減することができるという効果を奏する。
【００８５】
また、本発明によれば、盗難車両および窃盗容疑者を撮影することとしたので、証拠を押さえて、捜査を有利に進めることができるという効果を奏する。
【発明を実施するための最良の形態】
【００８６】
以下に、本発明にかかる駐車場管理プログラム、駐車場管理方法、駐車場管理装置、盗難車両捜索プログラム、盗難車両捜索方法および盗難車両捜索装置の一実施例を図面に基づいて詳細に説明する。なお、この一実施例によりこの発明が限定されるものではない。
【実施例】
【００８７】
図１は、本発明にかかる一実施例の構成を示すブロック図である。同図において、駐車場管理システム１００は、駐車場１４０における車両の駐車を管理するシステムである。以下では、車両として、自転車を一例にとって説明する。
【００８８】
駐車場管理システム１００において、ゲート１１０は、駐車場１４０の出入口に設けられており、車両１２０（この場合、自転車）を通過（入場、退場）させるための専用通路である。車両１２０は、自転車であり、例えば、都度契約により駐車場１４０に駐車される。この車両１２０には、シール状のステッカ１３０（ＩＣ（Integrated Circuit）タグ１３１）が貼付けられている。
【００８９】
ＩＣタグ１３１は、非接触で情報のリードが可能な電子タグの一種であり、特殊印刷、埋め込み、接着等によりステッカ１３０に設けられている。このＩＣタグ１３１は、図示しないアンテナ、ＩＣおよびメモリから構成されている。
【００９０】
アンテナは、後述するゲートＩＣタグリーダ１１２からの誘導電磁界中に置かれることにより発生する起電力をＩＣおよびメモリへ供給する。ＩＣは、メモリに関するリードを制御する。各メモリには、登録番号が記憶されている。
【００９１】
この登録番号は、駐車場１４０の利用者（車両の所有者）が駐車場の利用に関して都度契約を締結した場合に、契約者として登録されたときに付与されるユニークな番号であり、利用者（車両）を識別するための番号である。
【００９２】
ここで、ゲート１１０には、同図左から右にかけて、車両検出器１１１、ゲートＩＣタグリーダ１１２、案内表示装置１１３および撮影装置１１４が設けられている。車両検出器１１１は、赤外線、超音波等により車両１２０を検出する機能を備えている。
【００９３】
ゲートＩＣタグリーダ１１２は、ゲート１１０を通過した車両に設けられたＩＣタグ（同図の場合、ＩＣタグ１３１）から登録番号を非接触でリードする。案内表示装置１１３は、利用者（後述する不正利用者、窃盗容疑者）に対する案内情報を表示するための装置である。撮影装置１１４は、デジタルカメラおよびフラッシュ部から構成されており、ゲート１１０に進入した車両が未契約車両や盗難車両である場合に、証拠写真を撮影する装置である。
【００９４】
駐車場１４０は、例えば、駅周辺に設けられており、ゲート１１０の近傍に位置している。この駐車場１４０は、エリアＡ、エリアＢおよびエリアＣという３つの駐車エリアに区画されている。各駐車エリアには、ゲート１１０を通過した車両（この場合、車両１２０）が駐車される。
【００９５】
エリアＩＣタグリーダ１５０Ａは、エリアＡに設けられ、エリアＡ内に駐車している車両の台数の計数等に用いられるＩＣタグリーダである。このエリアＩＣタグリーダ１５０Ａは、エリアＡ内に駐車している車両に設けられたＩＣタグから登録番号を非接触でリードする。
【００９６】
エリアＩＣタグリーダ１５０Ｂは、エリアＢに設けられ、エリアＢ内に駐車している車両の台数の計数等に用いられるＩＣタグリーダである。このエリアＩＣタグリーダ１５０Ｂは、エリアＢ内に駐車している車両に設けられたＩＣタグから登録番号を非接触でリードする。
【００９７】
エリアＩＣタグリーダ１５０Ｃは、エリアＣに設けられ、エリアＣ内に駐車している車両の台数の計数等に用いられるＩＣタグリーダである。このエリアＩＣタグリーダ１５０Ｃは、エリアＣ内に駐車している車両に設けられたＩＣタグから登録番号を非接触でリードする。
【００９８】
駐車場管理装置１６０は、駐車場１４０における利用料金の課金や、駐車台数、盗難車両の入場等に関する管理を行う装置である。この駐車場管理装置１６０において、制御部１６１は、上述した管理に関して各部を制御する。この制御部１６１の動作の詳細については、後述する。
【００９９】
記憶部１６２は、制御部１６１で用いられるプログラムや各種情報（駐車場名、場所、連絡先等）を記憶している。入力部１６３は、キーボードやマウス等である。表示部１６４は、ＬＣＤ（Liquid Crystal Display）やＣＲＴ（Cathode Ray Tube）であり、駐車場１４０における駐車状況（空き、満車）等を表示する。
【０１００】
Ｉ／Ｏ（Input/Output）ポート１６５は、入出力インタフェースである。このＩ／Ｏポート１６５には、車両検出器１１１、ゲートＩＣタグリーダ１１２、案内表示装置１１３、撮影装置１１４、エリアＩＣタグリーダ１５０Ａ、エリアＩＣタグリーダ１５０ＢおよびエリアＩＣタグリーダ１５０Ｃが接続されている。
【０１０１】
通信部１６６は、ネットワーク２００に接続されており、所定の通信プロトコルに従って、通信を制御する。印刷部１６７は、撮影装置１１４で撮影された撮影画像等を紙に印刷する機能を備えている。
【０１０２】
契約者情報データベース１７０は、駐車場１４０の利用に関する契約（都度契約）を締結した契約者に関する契約者情報を格納するデータベースである。この契約者情報は、後述する盗難車両捜索装置７００へ提供され、盗難車両捜索装置７００でも管理されている。
【０１０３】
具体的には、契約者情報データベース１７０は、図２に示したように、「登録番号」、「登録日時」、「カナ氏名」、「漢字氏名」、「性別」、「生年月日」、「郵便番号」、「住所」、「引き落とし口座」、「有効期限」、「入場日時」、「駐車エリア」、「退場日時」および「利用料金累計」からなる契約者情報を格納している。
【０１０４】
「登録番号」は、上述したように、駐車場１４０の利用者（車両の所有者）が駐車場の利用に関して都度契約を締結した場合に、契約者として登録されたときに付与されるユニークな番号であり、利用者（車両）を識別するための番号である。「登録日時」は、利用者が契約者として登録された日時に関する情報である。
【０１０５】
「カナ氏名」は、当該利用者（契約者）の氏名をカタカナで表記した情報である。「漢字氏名」は、当該利用者（契約者）の氏名を漢字で表記した情報である。「性別」は、当該利用者（契約者）の性別に関する情報である。「生年月日」は、当該利用者（契約者）の生年月日に関する情報である。
【０１０６】
「郵便番号」および「住所」は、当該利用者（契約者）に対応する郵便番号および住所に関する情報である。「引き落とし口座」は、駐車場１４０の利用料金を口座から自動引き落としする場合の金融機関名、支店名、口座種別および口座番号に関する情報である。
【０１０７】
「有効期限」は、当該契約の有効期限に関する情報である。「入場日時」は、利用者（契約者）および車両が駐車場１４０に入場した日時に関する情報である。「駐車エリア」は、当該車両が駐車された駐車エリア（エリアＡ、エリアＢまたはエリアＣ）に関する情報である。
【０１０８】
「退場日時」は、当該利用者および車両が駐車場１４０から退場した日時に関する情報である。「利用料金累計」は、駐車場１４０の利用料金の累計に関する情報である。ここで、利用料金は、駐車場１４０を利用した都度、利用料金が累計され、月締めで「引き落とし口座」から利用料金（累計）が自動引き落としされる。
【０１０９】
図１に戻り、駐車場情報データベース１７１は、駐車場１４０における空き状況に関する駐車場情報を格納するデータベースである。具体的には、駐車場情報データベース１７１は、図３に示したように、「エリアＡ」、「エリアＢ」、「エリアＣ」および「全エリア」のそれぞれについて、「駐車可能台数」、「駐車台数」および「空き台数」からなる駐車場情報が格納されている。
【０１１０】
「エリアＡ」は、駐車場１４０におけるエリアＡに対応している。「エリアＢ」は、駐車場１４０におけるエリアＢに対応している。「エリアＣ」は、駐車場１４０におけるエリアＣに対応している。「全エリア」は、エリアＡ、エリアＢおよびエリアＣに対応している。
【０１１１】
「駐車可能台数」は、「エリアＡ」、「エリアＢ」、「エリアＣ」および「全エリア」のそれぞれに駐車可能な車両の台数に関する情報である。「駐車台数」は、「エリアＡ」、「エリアＢ」、「エリアＣ」および「全エリア」のそれぞれに実際に駐車されている車両の台数に関する情報である。「空き台数」は、「駐車可能台数」と「駐車台数」との差であり、「エリアＡ」、「エリアＢ」、「エリアＣ」および「全エリア」のそれぞれにおける空き台数に関する情報である。
【０１１２】
図１に戻り、盗難車両情報データベース１７２は、後述する盗難車両捜索装置７００から提供される盗難車両情報を格納するデータベースである。この盗難車両情報は、盗難された車両に関する情報である。
【０１１３】
具体的には、盗難車両情報データベース１７２は、図４に示したように、「登録番号」、「被害者カナ氏名」、「被害者漢字氏名」、「盗難車両登録日時」、「発見日時」、「駐車エリア」および「撮影画像ファイル」からなる盗難車両情報を格納している。
【０１１４】
「登録番号」は、盗難された車両を識別するための番号であり、契約者情報データベース１７０の「登録番号」（図２参照）に対応している。
【０１１５】
「被害者カナ氏名」は、車両盗難の被害を受けた被害者（利用者、契約者）の氏名をカタカナで表記した情報であり、契約者情報データベース１７０の「カナ氏名」（図２参照）に対応している。「被害者漢字氏名」は、上記被害者（利用者、契約者）の氏名を漢字で表記した情報であり、契約者情報データベース１７０の「漢字氏名」（図２参照）に対応している。
【０１１６】
「盗難車両登録日時」は、当該車両が盗難車両として登録された日時に関する情報である。「発見日時」は、当該盗難車両が発見された日時に関する情報である。「駐車エリア」は、盗難車両が駐車されたエリアに関する情報である。「撮影画像ファイル」は、盗難車両が撮影装置１１４で撮影された画像のファイル名である。
【０１１７】
図１に戻り、利用者端末３００1〜３００xは、駐車場の利用に関してオンラインでの申し込みに用いられるｘ台のコンピュータ端末であり、ネットワーク２００に接続されている。金融機関システム４００は、金融機関側に設けられており、駐車場の利用料金に関して自動引き落としを実行するシステムである。
【０１１８】
駐車場管理システム５００1〜５００yは、他のｙ箇所の駐車場にそれぞれ設けられており、上述した駐車場管理システム１００と同様の構成とされており、ネットワーク２００にそれぞれ接続されている。タグリーダ・撮影装置６００1〜６００zは、上述した盗難車両を捜索するために、車両が通過する各場所に設けられており、ＩＣタグリーダ、撮影装置および通信装置から構成されている。これらのタグリーダ・撮影装置６００1〜６００zは、ネットワーク２００に接続されている。
【０１１９】
ＩＣタグリーダは、ゲートＩＣタグリーダ１１２と同様の機能を備えており、通過した車両に設けられたＩＣタグから登録者番号をリードする。撮影装置は、撮影装置１１４と同様の機能を備えており、リードされた登録者番号が、盗難車両捜索装置７００から通知された盗難車両情報に含まれる登録者番号と一致した場合に、当該盗難車両を撮影する。通信装置は、盗難車両の撮影画像ファイル、撮影場所等の情報を盗難車両捜索装置７００へ送信する機能を備えている。
【０１２０】
盗難車両捜索装置７００は、警察当局により運用されており、ネットワーク２００に接続されている。この盗難車両捜索装置７００は、駐車場管理システム１００、駐車場管理システム５００1〜５００yのそれぞれから提供された契約者情報を一元管理する機能を備えている。
【０１２１】
また、盗難車両捜索装置７００は、被害者からの車両の盗難届けに基づいて、盗難車両情報を駐車場管理システム１００、駐車場管理システム５００1〜５００y、タグリーダ・撮影装置６００1〜６００zへ提供し、これらから盗難車両の発見情報を収集し、盗難車両の捜索を支援するための装置である。
【０１２２】
つぎに、図５および図６を参照して、一実施例における動作の概要について説明する。図５に示したステップＳＡ１では、駐車場１４０の利用者（未契約者）は、例えば、利用者端末３００1を操作して、駐車場管理装置１６０にアクセスし、オンラインで利用申し込みをする。
【０１２３】
この場合、利用者端末３００1からアクセスされると、駐車場管理装置１６０の制御部１６１は、図６に示した利用申し込み画面９００を利用者端末３００1の表示部（図示略）に表示させる。この利用申し込み画面９００は、駐車場１４０の利用に関するカナ氏名、漢字氏名、性別、生年月日、郵便番号、住所および引き落とし口座の情報を利用者に入力させるための画面である。
【０１２４】
利用者は、利用申し込み画面９００に各情報を入力した後、申し込みボタン９００ａを押下する。これにより、利用者端末３００1は、カナ氏名、漢字氏名、性別、生年月日、郵便番号、住所および引き落とし口座の情報を駐車場管理装置１６０へ送信する。
【０１２５】
駐車場管理装置１６０の制御部１６１は、登録番号を採番するとともに、契約の有効期限と、登録日時とを設定し、登録番号、登録日時、カナ氏名、漢字氏名、性別、生年月日、郵便番号、住所、引き落とし口座、有効期限、入場日時、駐車エリア、退場日時および利用料金累計を契約者情報として、契約者情報データベース１７０（図２参照）に格納する。
【０１２６】
但し、この時点では、入場日時、駐車エリア、退場日時および利用料金累計は、いずれの情報も設定されていない。また、制御部１６１は、契約が締結された旨と、登録番号とを利用者端末３００1へ通知する。
【０１２７】
ステップＳＡ２では、駐車場１４０の管理者により、新規のステッカ１３０のＩＣタグ１３１に、新たに採番された登録番号がライトされる。ステップＳＡ３では、駐車場１４０の管理者より、ＩＣタグ１３１付きのステッカ１３０が利用者へ送付される。
【０１２８】
ステップＳＡ４では、利用者は、ＩＣタグ１３１付きのステッカ１３０を車両１２０に貼付ける。ステップＳＡ５では、利用者が車両１２０を駐車場１４０に駐車することにより、利用料金が従量課金される。ステップＳＡ６では、利用者の自動引き落とし口座から月締めで利用料金が、金融機関システム４００から、駐車場１４０の管理者へ支払われる。
【０１２９】
つぎに、図７〜図１５を参照して、一実施例の動作について詳述する。図７は、図１に示した駐車場管理装置１６０の動作を説明するフローチャートである。
【０１３０】
図７に示したステップＳＢ１では、駐車場管理装置１６０の制御部１６１は、車両検出器１１１により、駐車場１４０に入場する車両が検出されたか否かを判断し、この場合、判断結果を「Ｎｏ」とする。
【０１３１】
ステップＳＢ２では、制御部１６１は、ゲートＩＣタグリーダ１１２で、駐車場１４０から退場する車両に設けられたＩＣタグから登録番号をリードしたか否かを判断し、この場合、判断結果を「Ｎｏ」とする。以後、ステップＳＢ１またはステップＳＢ２の判断結果が「Ｙｅｓ」となるまで、ステップＳＢ１およびステップＳＢ２の判断を繰り返す。
【０１３２】
ここで、当該利用者の車両１２０が駐車場１４０に入場すべく、ゲート１１０に進入すると、車両検出器１１１により、車両１２０が検出される。これにより、制御部１６１は、ステップＳＢ１の判断結果を「Ｙｅｓ」とする。ステップＳＢ３では、入場処理が実行される。
【０１３３】
具体的には、図８に示したステップＳＣ１では、制御部１６１は、ゲートＩＣタグリーダ１１２で、車両のＩＣタグから登録番号をリードしたか否かを判断する。この場合、ゲート１１０にさらに車両１２０が進入し、ゲートＩＣタグリーダ１１２により車両１２０のＩＣタグ１３１から登録番号がリードされたとすると、制御部１６１は、ステップＳＣ１の判断結果を「Ｙｅｓ」とする。
【０１３４】
ステップＳＣ２では、制御部１６１は、リードされた登録番号をキーとして、盗難車両情報データベース１７２（図４参照）を照会する。ステップＳＣ３では、制御部１６１は、ステップＳＣ２の照会結果に基づいて、リードされた登録番号と盗難車両情報データベース１７２の登録番号とが一致したか否かを判断する。この場合、一致していないものとし、制御部１６１は、ステップＳＣ３の判断結果を「Ｎｏ」とする。
【０１３５】
ステップＳＣ４では、制御部１６１は、ＩＣタグ１３１からリードされた登録番号をキーとして、契約者情報データベース１７０（図２参照）を照会する。ステップＳＣ５では、ステップＳＣ４の照会結果に基づいて、登録番号に対応する契約が有効（有効期限前）であるか否かを判断し、この場合、判断結果を「Ｙｅｓ」とする。
【０１３６】
ステップＳＣ６では、制御部１６１は、駐車場情報データベース１７１（図３参照）を照会する。ステップＳＣ７では、制御部１６１は、ステップＳＣ６の照会結果に基づいて、駐車場１４０に空きがあるか否かを判断する。
【０１３７】
この場合、エリアＡに５０台の空き、エリアＢに２０台の空きがあるため、制御部１６１は、ステップＳＣ７の判断結果を「Ｙｅｓ」とする。ステップＳＣ８では、制御部１６１は、ステップＳＣ６の照会結果に基づいて、空きが多いエリアＡに利用者を案内するための空き案内情報９０１（図１０参照）を案内表示装置１１３に表示させる。
【０１３８】
これにより、利用者は、空き案内情報９０１に従って、エリアＡを目指して駐車場１４０に入場する。ステップＳＣ９では、制御部１６１は、エリアＩＣタグリーダ１５０Ａ、エリアＩＣタグリーダ１５０ＢまたはエリアＩＣタグリーダ１５０Ｃで、車両のＩＣタグから登録番号をリードしたか否かを判断し、この場合、判断結果を「Ｎｏ」として、同判断を繰り返す。
【０１３９】
そして、利用者が車両１２０をエリアＡに駐車させると、エリアＩＣタグリーダ１５０Ａは、車両１２０のＩＣタグ１３１から登録者情報をリードする。これにより、制御部１６１は、ステップＳＣ９の判断結果を「Ｙｅｓ」とする。
【０１４０】
ステップＳＣ１０では、制御部１６１は、車両１２０がエリアＡに駐車したことに伴って、駐車場情報データベース１７１（図３参照）のエリアＡに対応する駐車台数を５０から５１へと１インクリメントするとともに、エリアＡに対応する空き台数を５０から４９へと１デクリメントし、駐車場情報データベース１７１を更新する。
【０１４１】
ステップＳＣ１１では、制御部１６１は、契約者情報データベース１７０に、当該登録番号に対応する入場日時、駐車エリア（この場合、エリアＡ）の情報を格納し、契約者情報データベース１７０を更新した後、図７に示したメインルーチンへ戻る。
【０１４２】
一方、図８に示したステップＳＣ７の判断結果が「Ｎｏ」である場合、すなわち、駐車場１４０の全エリアに空きがなく、満車である場合、ステップＳＣ１２では、制御部１６１は、満車であり駐車できない旨を表す満車案内情報９０２（図１１参照）を案内表示装置１１３に表示させる。
【０１４３】
ステップＳＣ１３では、制御部１６１は、車両検出器１１１により、ゲート１１０から外へ出る車両が検出されたか否かを判断し、この場合、判断結果を「Ｎｏ」として、同判断を繰り返す。
【０１４４】
そして、当該利用者は、満車案内情報９０２に従って、駐車場１４０に入場せずに、ゲート１１０の外へ出て、駐車場１４０に空きが出るのを待つ。このとき、車両検出器１１１により車両１２０が検出され、制御部１６１は、ステップＳＣ１３の判断結果を「Ｙｅｓ」として、図７に示したメインルーチンへ戻る。
【０１４５】
一方、図８に示したステップＳＣ５の判断結果が「Ｎｏ」である場合、ステップＳＣ１４では、制御部１６１は、ゲート１１０に進入してきた車両１２０を有効期限切れ車両と判定する。ステップＳＣ１５では、制御部１６１は、契約の有効期限が過ぎて、駐車場１４０に駐車できないため、契約の更新手続きを促す旨を表す契約更新案内情報９０３（図１２参照）を案内表示装置１１３に表示させる。
【０１４６】
ステップＳＣ１３では、制御部１６１は、車両検出器１１１により、ゲート１１０から外へ出る車両が検出されたか否かを判断し、この場合、判断結果を「Ｎｏ」として、同判断を繰り返す。
【０１４７】
そして、当該利用者は、契約更新案内情報９０３に従って、駐車場１４０に入場せずに、ゲート１１０の外へ出て、契約の更新手続きを行う。このとき、車両検出器１１１により車両１２０が検出され、制御部１６１は、ステップＳＣ１３の判断結果を「Ｙｅｓ」として、図７に示したメインルーチンへ戻る。
【０１４８】
ここで、車両１２０の利用者が、駐車場１４０の利用に関する契約を締結しておらず、車両１２０にステッカ１３０およびＩＣタグ１３１が張り付けられていない場合には、当該利用者（以下、不正利用者という）の車両１２０がゲートＩＣタグリーダ１１２の前を通過しても、ゲートＩＣタグリーダ１１２で登録情報がリードされない。
【０１４９】
この場合、制御部１６１は、図８に示したステップＳＣ１の判断結果を「Ｎｏ」とする。ステップＳＣ１６では、制御部１６１は、車両１２０を未契約車両を判定する。ステップＳＣ１７では、制御部１６１は、撮影装置１１４により車両１２０および不正利用者を撮影装置１１４にフラッシュを焚いて撮影させる。
【０１５０】
ステップＳＣ１８では、制御部１６１は、撮影装置１１４で撮影された撮影画像ファイル（未契約車両である車両１２０および不正利用者に対応）を、記憶部１６２に格納する。ステップＳＣ１９では、制御部１６１は、未契約である駐車を拒否し、利用申し込みを促す旨を表す駐車拒否案内情報９０４（図１３参照）を案内表示装置１１３に表示させる。
【０１５１】
ステップＳＣ１３では、制御部１６１は、車両検出器１１１により、ゲート１１０から外へ出る車両が検出されたか否かを判断し、この場合、判断結果を「Ｎｏ」として、同判断を繰り返す。
【０１５２】
これにより、不正利用者は、契約更新案内情報９０３に従って、駐車場１４０に入場せずに、ゲート１１０の外へ出る。このとき、車両検出器１１１により車両１２０が検出され、制御部１６１は、ステップＳＣ１３の判断結果を「Ｙｅｓ」として、図７に示したメインルーチンへ戻る。
【０１５３】
なお、記憶部１６２に格納された撮影画像（車両１２０および不正利用者に対応）は、印刷部１６７により紙に印刷された後、ゲート１１０や駐車場１４０に不正利用の抑制を目的として貼り出される。
【０１５４】
また、車両１２０が盗難車両であり、ＩＣタグ１３１からリードされた登録番号が盗難車両情報データベース１７２に格納されている登録番号と一致した場合、制御部１６１は、図８に示したステップＳＣ３の判断結果を「Ｙｅｓ」とする。
【０１５５】
ステップＳＣ２０では、制御部１６１は、車両１２０を盗難車両と判定する。ステップＳＣ２１では、制御部１６１は、撮影装置１１４により車両１２０（盗難車両）および窃盗容疑者を撮影装置１１４に撮影させる。盗難車両の場合には、撮影時にフラッシュを焚くと、窃盗容疑者に気づかれ、逃走のおそれがあるため、暗視カメラ等で撮影するのが望ましい。
【０１５６】
ステップＳＣ２２では、制御部１６１は、撮影装置１１４で撮影された撮影画像ファイル（盗難車両である車両１２０および窃盗容疑者に対応）を一時的に記憶部１６２に格納する。
【０１５７】
ステップＳＣ２３では、制御部１６１は、駐車場１４０の空き、満車に関わらず、駐車場１４０に車両１２０を駐車させるため、無条件で駐車を案内する旨を表す駐車案内情報９０５（図１４参照）を案内表示装置１１３に表示させる。
【０１５８】
これにより、窃盗容疑者は、駐車案内情報９０５に従って、駐車場１４０を目指して進む。
【０１５９】
ステップＳＣ２４では、制御部１６１は、エリアＩＣタグリーダ１５０Ａ、エリアＩＣタグリーダ１５０ＢまたはエリアＩＣタグリーダ１５０Ｃで、車両のＩＣタグから登録番号をリードしたか否かを判断し、この場合、判断結果を「Ｎｏ」として、同判断を繰り返す。
【０１６０】
そして、窃盗容疑者が車両１２０を、例えば、エリアＡに駐車させると、エリアＩＣタグリーダ１５０Ａは、車両１２０（盗難車両）のＩＣタグ１３１から登録者情報をリードする。これにより、制御部１６１は、ステップＳＣ２４の判断結果を「Ｙｅｓ」とする。
【０１６１】
ステップＳＣ２５では、制御部１６１は、記憶部１６２から撮影画像ファイル（盗難車両である車両１２０および窃盗容疑者に対応）を読み出し、車両１２０の発見日時、駐車エリア（この場合、エリアＡ）および上記撮影画像ファイルを、車両１２０の登録番号に対応付けて、盗難車両情報データベース１７２に格納し、盗難車両情報データベース１７２を更新する。
【０１６２】
ステップＳＣ２６では、制御部１６１は、ネットワーク２００を介して、盗難車両捜索装置７００（警察当局）へ盗難車両の発見を通報した後、図７に示したメインルーチンへ戻る。
【０１６３】
具体的には、制御部１６１は、記憶部１６２から駐車場名、場所および連絡先の情報を読み出すとともに、盗難車両情報データベース１７２から車両１２０に対応する盗難車両情報を読み出し、これらの情報に基づいて、図１５に示した盗難車両発見メール９０６を作成する。つぎに、制御部１６１は、ネットワーク２００を介して、盗難車両発見メール９０６を盗難車両捜索装置７００へ送信する。これにより、警察当局から捜査員が駐車場１４０に派遣され、捜査が開始される。
【０１６４】
また、正規の利用者は、駐車場１４０に駐車させた車両１２０を退場させる場合、車両１２０をゲート１１０へ進める。そして、車両１２０がゲートＩＣタグリーダ１１２を通過すると、ゲートＩＣタグリーダ１１２により、車両１２０のＩＣタグ１３１から登録番号がリードされる。
【０１６５】
これにより、制御部１６１は、図７に示したステップＳＢ２の判断結果を「Ｙｅｓ」とする。ステップＳＢ４では、退場処理が実行される。具体的には、図９に示したステップＳＤ１では、制御部１６１は、車両検出器１１１により、退場した車両を検出したか否かを判断し、この場合、判断結果を「Ｎｏ」として、同判断を繰り返す。
【０１６６】
そして、車両１２０が車両検出器１１１を通過し、ゲート１１０の外に出されると、車両検出器１１１は、車両１２０を検出する。これにより、制御部１６１は、ステップＳＤ１の判断結果を「Ｙｅｓ」とする。
【０１６７】
ステップＳＤ２では、制御部１６１は、契約者情報データベース１７０における当該登録番号に対応する入場日時と、現在の日時（退場日時）との差から駐車時間を計算した後、この駐車時間に１時間あたりの利用料金単価を乗算し、今回の利用料金を計算する。つぎに、制御部１６１は、契約者情報データベース１７０の利用料金累計に、今回の利用料金を加算し、利用料金累計を計算する。
【０１６８】
ステップＳＤ３では、制御部１６１は、契約者情報データベース１７０に退場日時、利用料金累計を格納し、契約者情報データベース１７０を更新する。ステップＳＤ４では、制御部１６１は、車両１２０がエリアＡから退場したことに伴って、駐車場情報データベース１７１（図３参照）のエリアＡに対応する駐車台数を５１から５０へと１デクリメントするとともに、エリアＡに対応する空き台数を４９から５０へと１インクリメントし、駐車場情報データベース１７１を更新した後、図７に示したメインルーチンへ戻る。なお、利用料金（累計）は、月締めで自動引き落としにより、金融機関システム４００から、駐車場１４０の管理者へ支払われる。
【０１６９】
なお、一実施例においては、車両１２０として自転車を具体例に挙げて説明をしたが、自動二輪車、自動車等にも適用可能である。
【０１７０】
また、一実施例においては、駐車場管理装置１６０の制御部１６１で、一定期間毎（例えば、１ヶ月毎）に、駐車場１４０に駐車中の各車両について、連続の駐車時間（入場日時からそのときの日時までの時間）を計算し、所定時間（例えば、２０日間）以上、連続して駐車している場合、当該車両を放置車両と判定する構成例としてもよい。
【０１７１】
放置車両と判定した場合、制御部１６１は、電子メール等を介して、当該利用者に放置車両の撤去（退場）依頼を通知する。
【０１７２】
また、一実施例においては、利用料金の決済方法として、口座からの自動引き落としを一例として挙げたが、クレジットカード決済、現金決済等としてもよい。
【０１７３】
また、一実施例においては、駐車場管理装置１６０、駐車場管理システム５００1〜５００y、タグリーダ・撮影装置６００1〜６００zから、車両に設けられたＩＣタグからリードされた登録番号を盗難車両捜索装置７００へ通知し、盗難車両捜索装置７００で盗難車両の登録番号と、通知された登録番号とを照合し、一致した場合に当該車両を盗難車両と判別する構成例としてもよい。
【０１７４】
以上説明したように、一実施例によれば、駐車場１４０のゲート１１０において、車両１２０に設けられたＩＣタグ１３１からリードされた該車両１２０の登録番号に基づいて、駐車場１４０への車両１２０の入退場を監視し、監視結果に基づいて、駐車場１４０の利用料金を計算し、月締めで利用料金をまとめて決済することとしたので、利用者が利用の度に利用料金を小銭等で支払う必要がなくなり、利用者の利便性を高めることができる。
【０１７５】
また、一実施例によれば、駐車場１４０において、駐車中の車両１２０に設けられたＩＣタグ１３１からリードされた登録番号に基づいて、当該利用者に対して、駐車場１４０の空き状況を案内（空き案内情報９０１（図１０参照）、満車案内情報９０２（図１１参照））することとしたので、さらに利用者の利便性を高めることができる。
【０１７６】
また、一実施例によれば、ゲート１１０でリードされた登録番号と、駐車場１４０の利用が許可された車両を識別するための登録番号とを照合した結果が不一致である場合、当該不正利用者に対して、駐車場１４０の利用拒否を案内（駐車拒否案内情報９０４（図１３参照））することとしたので、不正利用を抑制することができる。
【０１７７】
また、一実施例によれば、照合の結果が不一致である場合、当該車両および不正利用者を撮影することとしたので（ステップＳＣ１７（図８参照））、心理的に不正利用者にプレッシャがかかり、不正利用をさらに抑制することができる。
【０１７８】
また、一実施例によれば、ゲート１１０でリードされた登録番号と、警察当局から予め通知された盗難車両を識別するための登録番号とを照合した結果が一致である場合、盗難車両捜索装置７００（警察当局）へ盗難車両の発見を通報することとしたので、盗難車両の捜索にかかる時間、コストを低減することができる。
【０１７９】
また、一実施例によれば、照合の結果が一致である場合、当該盗難車両および窃盗容疑者を撮影することとしたので（ステップＳＣ２１（図８参照））、証拠を押さえて、捜査を有利に進めることができる。
【０１８０】
また、一実施例によれば、車両毎に駐車時間を計算し、該駐車時間が所定時間を超えている車両を放置車両として判定し、利用者へ撤去を通知することとしたので、放置車両の数を低減することができる。
【０１８１】
また、一実施例によれば、車両１２０を二輪車（自転車等）としたので、二輪車に関して、利用者の利便性を高め、不正利用を抑制し、盗難車両の捜索にかかる時間、コストを低減することができる。
【０１８２】
また、一実施例によれば、車両１２０を自動車としたので、自動車に関して、利用者の利便性を高め、不正利用を抑制し、盗難車両の捜索にかかる時間、コストを低減することができる。
【０１８３】
また、一実施例によれば、車両１２０に設けられたＩＣタグ１３１からリードされた登録番号と、捜索対象の盗難車両を識別するための登録番号とを照合し、照合の結果が一致である場合、当該車両１２０を盗難車両として判別することとしたので、盗難車両の捜索にかかる時間、コストを低減することができる。
【０１８４】
以上本発明にかかる一実施例について図面を参照して詳述してきたが、具体的な構成例はこの一実施例に限られるものではなく、本発明の要旨を逸脱しない範囲の設計変更等があっても本発明に含まれる。
【０１８５】
例えば、前述した一実施例においては、駐車場管理装置１６０、駐車場管理システム５００1〜５００y、タグリーダ・撮影装置６００1〜６００z、盗難車両捜索装置７００の各機能を実現するためのプログラムを図１６に示したコンピュータ読み取り可能な記録媒体１１００に記録して、この記録媒体１１００に記録されたプログラムを同図に示したコンピュータ１０００に読み込ませ、実行することにより各機能を実現してもよい。
【０１８６】
同図に示したコンピュータ１０００は、上記プログラムを実行するＣＰＵ（Central Processing Unit）１０１０と、キーボード、マウス等の入力装置１０２０と、各種データを記憶するＲＯＭ（Read Only Memory）１０３０と、演算パラメータ等を記憶するＲＡＭ（Random Access Memory）１０４０と、記録媒体１１００からプログラムを読み取る読取装置１０５０と、ディスプレイ、プリンタ等の出力装置１０６０と、から構成されている。
【０１８７】
ＣＰＵ１０１０は、読取装置１０５０を経由して記録媒体１１００に記録されているプログラムを読み込んだ後、プログラムを実行することにより、前述した機能を実現する。なお、記録媒体１１００としては、光ディスク、フレキシブルディスク、ハードディスク等が挙げられる。
【産業上の利用可能性】
【０１８８】
以上のように、本発明にかかる駐車場管理プログラム、駐車場管理方法、駐車場管理装置、盗難車両捜索プログラム、盗難車両捜索方法および盗難車両捜索装置は、駐車場の管理に対して有用であり、特に、利用料金が従量制とされた駐車場に適している。
【図面の簡単な説明】
【０１８９】
【図１】本発明にかかる一実施例の構成を示すブロック図である。
【図２】図１に示した契約者情報データベース１７０のテーブル構造を示す図である。
【図３】図１に示した駐車場情報データベース１７１のテーブル構造を示す図である。
【図４】図１に示した盗難車両情報データベース１７２のテーブル構造を示す図である。
【図５】同一実施例における動作の概要を説明するフローチャートである。
【図６】同一実施例における利用申し込み画面９００を示す図である。
【図７】図１に示した駐車場管理装置１６０の動作を説明するフローチャートである。
【図８】図７に示した入場処理を説明するフローチャートである。
【図９】図７に示した退場処理を説明するフローチャートである。
【図１０】同一実施例における空き案内情報９０１を示す図である。
【図１１】同一実施例における満車案内情報９０２を示す図である。
【図１２】同一実施例における契約更新案内情報９０３を示す図である。
【図１３】同一実施例における駐車拒否案内情報９０４を示す図である。
【図１４】同一実施例における駐車案内情報９０５を示す図である。
【図１５】同一実施例における盗難車両発見メール９０６を示す図である。
【図１６】同一実施例の変形例の構成を示すブロック図である。
【符号の説明】
【０１９０】
１００  駐車場管理システム
１１０  ゲート
１１１  車両検出器
１１２  ゲートＩＣタグリーダ
１１３  案内表示装置
１１４  撮影装置
１２０  車両
１３１  ＩＣタグ
１４０  駐車場
１６０  駐車場管理装置
１６１  制御部
１６７  印刷部
１７０  契約者情報データベース
１７１  駐車場情報データベース
１７２  盗難車両情報データベース
４００  金融機関システム
６００1  タグリーダ・撮影装置
７００  盗難車両捜索装置
【図１】
2005157776.tif 000003
【図２】
2005157776.tif 000004
【図３】
2005157776.tif 000005
【図４】
2005157776.tif 000006
【図５】
2005157776.tif 000007
【図６】
2005157776.tif 000008
【図７】
2005157776.tif 000009
【図８】
2005157776.tif 000010
【図９】
2005157776.tif 000011
【図１０】
2005157776.tif 000012
【図１１】
2005157776.tif 000013
【図１２】
2005157776.tif 000014
【図１３】
2005157776.tif 000015
【図１４】
2005157776.tif 000016
【図１５】
2005157776.tif 000017
【図１６】
2005157776.tif 000018